(57)【要約】【課題】折られたシートをより的確にＶ字に開放させる。【解決手段】折られたシートをより的確にＶ字に開放させるためのシート開き装置であって、Ｖ字に折られたシートを、最終折り目を下方に、第１、第２端辺を上方にして載置するシート載置部と、シート載置部に載置されたシートの上方部分を開放させるため、第１端辺から離れる方向に第２端辺を移動させる開放機構と、第２端辺を移動させる際にシートの第１端辺周囲が連れて動かないように押圧する押圧部と、を備えたシート開き装置を提供する。【選択図】  図１
2019127339.tif 000002
【特許請求の範囲】
【請求項１】
Ｖ字に折られたシートを、最終折り目を下方に、第１、第２端辺を上方にして載置するシート載置部と、
前記シート載置部に載置された前記シートの上方部分を開放させるため、前記第１端辺から離れる方向に前記第２端辺を移動させる開放機構と、
前記第２端辺を移動させる際に前記シートの前記第１端辺周囲が連れて動かないように押圧する押圧部と、
を備えたシート開き装置。
【請求項２】
前記開放機構は、前記第２端辺を吸着して前記第１端辺から離れる方向に移動させる吸着機構である請求項１に記載のシート開き装置。
【請求項３】
前記押圧部は、前記第２端辺を移動させる際に前記シートの前記第１端辺周囲を押さえる、固定された第１弾性部材を含む請求項１に記載のシート開き装置。
【請求項４】
前記第１弾性部材は、上方から下方に向けて伸びる第１弾性シートである請求項３に記載のシート開き装置。
【請求項５】
前記シートは、前記最終折り目と直交する第１折り目をさらに備え、
前記開放機構は、前記第１端辺から離れる方向に前記第２端辺を移動させる際、前記第１折り目寄りの位置に力を加え、
前記第１弾性シートの下端が、前記第１折り目から遠ざかるほど、前記最終折り目から遠ざかる方向に傾斜している請求項４に記載のシート開き装置。
【請求項６】
前記第１弾性シートが、前記第１端辺に沿うように複数並べて設けられた請求項４または５に記載のシート開き装置。
【請求項７】
前記押圧部は、前記第２端辺を移動させる際に、前記第２端辺に連れて動いた前記第１端辺周囲を、移動しつつ押さえる第２弾性部材を含む請求項１に記載のシート開き装置。
【請求項８】
前記第２弾性部材は、上方から下方に向けて伸びる第２弾性シートである請求項７に記載のシート開き装置。
【請求項９】
前記シートは、前記最終折り目と直交する第１折り目をさらに備え、
前記開放機構は、前記第１端辺から離れる方向に前記第２端辺を移動させる際、前記第１折り目寄りの位置に力を加え、
前記第２弾性シートの下端が、前記第１折り目から遠ざかるほど、前記最終折り目から近づく方向に傾斜している請求項８に記載のシート開き装置。
【請求項１０】
前記開放機構が前記第２端辺を移動させる際に、前記第２弾性部材を上方に待避させる待避機構をさらに備えた請求項７、８または９に記載のシート開き装置。
【請求項１１】
前記第２弾性部材が、前記第１端辺に沿うように複数並べて設けられた請求項７乃至１０のいずれか１項に記載のシート開き装置。
【請求項１２】
前記第２弾性部材の上下方向位置が調整可能となるように構成された請求項７乃至１１のいずれか１項に記載のシート開き装置。
【請求項１３】
前記押圧部は、
前記第２端辺を移動させる際に前記シートの前記第１端辺周囲を押さえる、固定された第１弾性部材と、
前記第２端辺を移動させる際に、前記第２端辺に連れて動いた前記第１端辺周囲を、移動しつつ押さえる第２弾性部材と、
を含み、
前記第１弾性部材は前記第２弾性部材よりも、前記第１端辺側に設けられた請求項１に記載のシート開き装置。
【請求項１４】
前記第１、第２弾性部材は、第１、第２弾性シートであって、前記最終折り目側の下方端部の傾斜の向きが、互いに逆向きである請求項１３に記載のシート開き装置。
【請求項１５】
先端が前記第１端辺と前記第２端辺との間に挿入される棒状部材をさらに備えた請求項１乃至１４のいずれか１項に記載のシート開き装置。
【請求項１６】
前記シートは、前記最終折り目と直交する第１折り目をさらに備え、
前記棒状部材は、前記第１折り目から遠い側に設けられた軸を中心に回動可能であり、前記棒状部材の回動により、前記第１折り目に近接した位置から、前記第１端辺と前記第２端辺との間に前記棒状部材の先端を挿入する請求項１５に記載のシート開き装置。
【請求項１７】
Ｖ字に折られたシートを、最終折り目を下方に、第１、第２端辺を上方にしてシート載置部に載置するシート載置ステップと、
前記シート載置部に載置された前記シートの上方部分を開放させるため、前記第１端辺から離れる方向に前記第２端辺を移動させる開放ステップと、
前記第２端辺を移動させる際に前記シートの前記第１端辺周囲が連れて動かないように押圧する押圧ステップと、
を含むシート開き方法。
【発明の詳細な説明】
【技術分野】
【０００１】
本発明は、シート開き装置およびシート開き方法に関する。
【背景技術】
【０００２】
上記技術分野において、特許文献１には、既に丁合された配達単位の広告束と、新聞とを、各々給紙部に積載し、取り出した１部の新聞を開き、取り出した１部の広告束をその間に挿入する中入れ機が開示されている。
【先行技術文献】
【特許文献】
【０００３】
【特許文献１】特開平６−３０５６２９
【発明の概要】
【発明が解決しようとする課題】
【０００４】
しかしながら、特許文献１の装置では、開き爪１７，２３が新聞紙の間に割り込む前に、開き用吸盤１３，１５が新聞紙の上端を吸い付けて開く（段落００１３）。このとき、２次折りの折り目にしたがって開く必要がある。しかし、いったん４つ折に折りたたんで束として納品された新聞紙であるため、２次折りによって互いに対向して重ねられた折り面同士が密着し、吸引側の折り面だけでなく対向する折面側の用紙をも吸引してしまい、うまく２次折り目にしたがって開けないことがあった。
【０００５】
本発明の目的は、上述の課題を解決する技術を提供することにある。
【課題を解決するための手段】
【０００６】
上記目的を達成するため、本発明に係るシート開き装置は、
Ｖ字に折られたシートを、最終折り目を下方に、第１、第２端辺を上方にして載置するシート載置部と、
前記シート載置部に載置された前記シートの上方部分を開放させるため、前記第１端辺から離れる方向に前記第２端辺を移動させる開放機構と、
前記第２端辺を移動させる際に前記シートの前記第１端辺周囲が連れて動かないように押圧する押圧部と、
を備えた。
【０００７】
上記目的を達成するため、本発明に係るシート開き方法は、
Ｖ字に折られたシートを、最終折り目を下方に、第１、第２端辺を上方にしてシート載置部に載置するシート載置ステップと、
前記シート載置部に載置された前記シートの上方部分を開放させるため、前記第１端辺から離れる方向に前記第２端辺を移動させる開放ステップと、
前記第２端辺を移動させる際に前記シートの前記第１端辺周囲が連れて動かないように押圧する押圧ステップと、
を含む。
【発明の効果】
【０００８】
本発明によれば、折られたシートをより的確にＶ字に開放させることができる。
【図面の簡単な説明】
【０００９】
【図１】本発明の第１実施形態に係るシート開き装置の構成を示す図である。
【図２】本発明の第２実施形態に係るシートの状態遷移を示す図である。
【図３】本発明の第２実施形態に係るシート開き装置の構成を示す図である。
【図４】本発明の第２実施形態に係るシート開き装置の構成を示す図である。
【図５】本発明の第２実施形態に係るシート開き装置の構成を示す図である。
【図６】本発明の第２実施形態に係るシート開き装置の構成を示す図である。
【図７】本発明の第２実施形態に係るシート開き装置の構成を示す図である。
【図８】本発明の第２実施形態に係るシート開き装置の構成を示す図である。
【図９】本発明の第２実施形態に係るシート開き装置の構成を示す図である。
【図１０】本発明の第２実施形態に係るシート開き装置の構成を示す図である。
【図１１】本発明の第２実施形態に係るシート開き装置の構成を示す図である。
【図１２】本発明の第２実施形態に係るシート開き装置の構成を示す図である。
【図１３】本発明の第２実施形態に係るシート開き装置の構成を示す図である。
【図１４】本発明の第２実施形態に係るシート開き装置の構成を示す図である。
【図１５】本発明の第２実施形態に係るシート開き装置の構成を示す図である。
【図１６】本発明の第２実施形態に係るシート開き装置の構成を示す図である。
【図１７】本発明の第２実施形態に係る中入れ装置の構成を示す図である。
【図１８】本発明の第２実施形態に係る中入れ装置の構成を示す図である。
【図１９】本発明の第２実施形態に係る中入れ装置の構成を示す図である。
【発明を実施するための形態】
【００１０】
以下に、図面を参照して、本発明の実施の形態について例示的に詳しく説明する。ただし、以下の実施の形態に記載されている構成要素はあくまで例示であり、本発明の技術範囲をそれらのみに限定する趣旨のものではない。
【００１１】
［第１実施形態］
本発明の第１実施形態としてのシート開き装置１００について、図１を用いて説明する。シート開き装置１００は、折りたたまれたシートを開くための装置である。
【００１２】
図１に示すように、シート開き装置１００は、シート載置部１０１と、開放機構１０２と押圧部１０３とを含む。
【００１３】
シート載置部１０１は、折られたシート１１０を、最終折り目１１１を下方に、第１、第２端辺１１２、１１３を上方にして載置する。
【００１４】
開放機構１０２は、シート載置部１０１に載置されたシート１１０の上方部分を開放させるため、第１端辺１１２から離れる方向に第２端辺１１３を移動させる。
【００１５】
押圧部１０３は、第２端辺１１３を移動させる際にシート１１０の第１端辺１１２周囲が連れて動かないように押圧する。
【００１６】
以上の構成により、折られたシートをより的確にＶ字に開放させることができる。
【００１７】
［第２実施形態］
次に本発明の第２実施形態に係るシート開き装置３００およびシート開き装置３００を含む中入れ装置について、図２以降を用いて説明する。本実施形態では中入れ装置の一例として、４つ折りになった新聞の中に広告を挿入する装置について説明する。
【００１８】
まず、図２を用いて、新聞に対する広告挿入の様子を説明する。複数枚のシートからなる印刷後の新聞紙２０１は、通常、二つ折り状態２０２を経て、２度折り畳まれた四折り状態２０３で新聞配達所に配送される。新聞配達所では、地域ごとの広告を新聞紙内に挿入するため、一旦、四折り新聞紙２０３をＶ字状態２０４に開いた後、その最終折り目２０５に向けて、広告２０６を挿入する。
【００１９】
複数シートからなる四折り新聞紙２０３を綺麗にＶ字状態２０４に開くことは困難であり、内側の１枚〜３枚がうまく離れない場合がある。その場合、挿入される広告２０６が、そのような内側に残った新聞紙にぶつかり、内側の新聞紙や広告がつぶれてしまい配達できる品質とならないことがあった。
【００２０】
すなわち、このように折られたシートをＶ字状に綺麗に開く技術が求められていた。
【００２１】
図３は、シート開き装置３００の具体的な構成を示す斜視図である。シート開き装置３００は、４つ折りの新聞紙２０３を置くためのベース３０１と、ベース３０１に対して、近位置と遠位置との間で、カム３２１の回転駆動に伴い軸３０５を中心に回動する回動部３０４とを含む。ベース３０１の上端には、新聞紙をベース３０１側に押圧する押圧部３０３が設けられている。新聞紙２０３は、最終折り目２０５と直交する折り目３１４をさらに備えている。
【００２２】
押圧部３０３は、ベース３０１に固定された固定押圧部３３１と、矢印３１５に示すようにベース３０１の上端を中心に上下方向に回動可能な移動押圧部３３２とを含む。固定押圧部３３１は、移動押圧部３３２よりも端辺３１１側に設けられている。固定押圧部３３１は、端辺３１２を移動させる際に端辺３１１周囲を押さえる、固定された弾性部材を含む。固定押圧部３３１および移動押圧部３３２は、それぞれ上方から下方に向けて伸びる弾性シート（例えばマイラー（登録商標））であり、これらの弾性シートは、端辺３１１に沿うように複数並べて設けられている。
【００２３】
また、固定押圧部３３１の下端は、折り目３１４から遠ざかるほど、最終折り目２０５から遠ざかる方向に傾斜している。一方、移動押圧部３３２の下端は、固定押圧部３３１とは逆に、折り目３１４から遠ざかるほど、最終折り目２０５に近づく方向に傾斜している。固定押圧部３３１としては、第１、第２端辺１１２，１１３に沿う方向に、下端の傾斜形状が互いに同じ弾性シートが複数（本実施形態では３個）設けられている。一方、移動押圧部３３２としては、第１、第２端辺１１２，１１３に沿う方向に、下端の傾斜形状が同じ弾性シートが複数（本実施形態では３個）設けられている。固定押圧部３３１としての複数の弾性シートと、移動押圧部３３２としての複数の弾性シートは、第１、第２端辺１１２，１１３に沿う方向で互いに略同じ位置に設けられている。そして、固定押圧部３３１と移動押圧部３３２の配置領域は、第１、第２端辺１１２，１１３に沿う方向で、新聞の折り目３１４よりも、折り目３１４と対向した新聞の端辺に近い位置となっている。
【００２４】
また、移動押圧部３３２の上下方向位置を調整可能とする調整機構としてのネジ３３３が設けられており、このネジ３３３をゆるめて移動押圧部３３２を上方にスライド移動させ、再度ネジ３３３を締めることで、移動押圧部３３２の位置が上方に移動する。新聞紙２０３の厚みが薄い場合には、大きな押圧機能が要求されないため、移動押圧部３３２を上方に移動させて、待避させる。
【００２５】
回動部３０４の上端の折り目３１４寄りの一端には、吸着機構としての吸引部３０２が設けられている。回動部３０４が回動することで、折り畳まれた新聞紙２０３の端辺３１２に吸引部３０２が近づいていく。回動部３０４の回動に連動して、移動押圧部３３２が上方にはね上がる。つまり、図示はされていないが、開放機構としての回動部３０４が端辺３１２を移動させる際に、移動押圧部３３２を上方に待避させる待避機構をさらに備えている。
【００２６】
折り畳まれた新聞紙２０３の端辺３１２に吸引部３０２が接触して吸引することにより、端辺３１２が、回動部３０４に吸着され、その後、回動部３０４が元の位置に戻る際に、端辺３１２が端辺３１１から離間される。吸引開放機構としての吸引部３０２は、端辺３１１から離れる方向に端辺３１２を移動させる際、折り目３１４寄りの位置に力を加える。吸引部３０２は、新聞の折り目３１４寄りの上端寄りを吸引するように、回動部３０４の図３における左端部の上端部に設けられている。
【００２７】
図４は、回動部３０４が一旦閉じて、端辺３１２を吸引した後、端辺３１２を保持したままもとの位置に戻る「途中」の状態を示す斜視図である。この状態において、移動押圧部３３２は、徐々に元の位置、つまり下方に移動している。
【００２８】
これにより、万が一、新聞紙２０３の端辺３１２を移動させる際に、端辺３１１が端辺３１２に連れて動きかけた場合であっても、移動押圧部３３２が端辺３１１をベース３０１側に押圧することができる。
【００２９】
これにより、図５に示すとおり、新聞紙２０４が折り目２０５を下にして綺麗に正確にＶ字状態に開かれ、端辺３１１と端辺３１２との間に広告２０６を綺麗に挿入することができる。
【００３０】
図６〜図１６は、新聞紙２０３を開放させる機構をさらに詳しく説明するための部分拡大斜視図である。
【００３１】
本実施形態のシート開き装置３００は、開放機構の一部として、先端が端辺３１１と端辺３１２との間に挿入される棒状部材としてのレバー６０１、６０２をさらに備えている。
【００３２】
レバー６０１、６０２は、折り目３１４から遠い側に設けられた軸（不図示）を中心に回動可能であり、レバー６０１、６０２の回動により、折り目３１４に近接した位置から、端辺３１１と端辺３１２との間にレバー６０１、６０２の先端６１１を挿入する。レバー６０２は、移動押圧部３３２と干渉しないように、レバー６０１に対して短く構成されている。
【００３３】
図６は、ベース３０１に新聞紙２０３が上方から挿入されてきた状態を示している。図７は、回動部３０４が、載置された新聞紙２０３に対して近づいている状態を示している。回動部３０４の回動（矢印７０１）に伴い、移動押圧部３３２が上方（矢印７０２）に移動していく。
【００３４】
図８は、回動部３０４が一旦閉じて、吸引部３０２が新聞紙２０３の端辺３１２を吸引した状態を示す。
【００３５】
図９，図１０は、回動部３０４が開き、開いた新聞紙２０４の端辺３１２が固定押圧部３３１としての弾性シートを乗り越えて、端辺３１１から離れていく状態を示している。この状態で、移動押圧部３３２は上方に逃げているため、抵抗にはならない。
【００３６】
その後、図１１に示すように、回動部３０４が開ききるとほぼ同時に、移動押圧部３３２が下方位置に戻り、端辺３１１に若干のめくれがあった場合にも、ベース３０１側に押圧して、開口を保つようにする。
【００３７】
次に、図１２に示すように、レバー６０１、６０２が下方に降りて、新聞紙２０４の開口を広げる。特に、吸引部３０２から離れた端部を広げることにより、広告の挿入口を確保する。棒状部材としてのレバー６０１，６０２は、先端が先に、端辺３１１，３１２の間を通過する。レバー６０１，６０２の先端は、折り目３１４と対向する辺（折り目ではない自由端）との間で、端辺３１１，３１２の間を通過する。
【００３８】
次に図１３、図１４に示すように、広告２０６が落ちてきて、レバー６０１、６０２の間において、新聞紙２０４の開口に挿入される。
【００３９】
最後に、図１５に示すように広告の入った新聞が、ベース３０１の下方に移動すると、図１６に示すとおり、レバー６０１、６０２が上方位置に戻る。広告の入った新聞を下方に移動させる機構として吸引部１６０１とベルト１６０２とが設けられている。
【００４０】
＜中入れ装置の構成＞
図１７〜図１９は、本実施形態に係る中入れ装置１７００について説明する図である。図１７は、本実施形態に係る中入れ装置１７００の全体構成を示す斜視図である。図１８，図１９は、本実施形態に係る中入れ装置１７００の内部構成を示す側断面図である。
【００４１】
中入れ装置１７００は、広告給紙部１７０１と、新聞給紙部１７０２と、分離プレート１８０３と、搬送部１８０４と、シート開き装置３００と、を有する。
【００４２】
広告給紙部１７０１は、中入れ装置１７００の上段部分に設けられている。新聞給紙部１７０２は、中入れ装置１７００の中段部分に設けられている。
【００４３】
広告給紙部１７０１および新聞給紙部１７０２に積載されたシート束は、中入れ装置１７００の正面から見て手前側から奥側、つまり、図１９の左側から右側に向かって、給紙される。
【００４４】
新聞給紙部１７０２から給送された新聞紙２０３は、搬送路１９０５を介してシート開き装置３００に到達して停止し、上述した方法で開放される。
【００４５】
広告給紙部１７０１から給送された広告２０６は、搬送部１８０４で下方に搬送される。搬送部１８０４は、複数の回転するローラを含んで構成されており、ローラの回転により広告２０６を搬送する。そして、搬送部１８０４で搬送された広告２０６は、シート開き装置３００に到達して新聞紙２０３の中に挿入される。
【００４６】
広告２０６が挿入された新聞紙２０３は排出口１８０６へ向かって搬送され、排出口１８０６から排出される。
【００４７】
以上の構成により、本実施形態によれば、より確実かつ綺麗に新聞紙の間に広告を挿入することができる。
【００４８】
［他の実施形態］
以上、実施形態を参照して本願発明を説明したが、本願発明は上記実施形態に限定されるものではない。本願発明の構成や詳細には、本願発明の範疇で当業者が理解し得る様々な変更をすることができる。また、それぞれの実施形態に含まれる別々の特徴を如何様に組み合わせたシステムまたは装置も、本発明の範疇に含まれる。
【００４９】
また、本発明は、複数の機器から構成されるシステムに適用されてもよいし、単体の装置に適用されてもよい。
【図１】
2019127339.tif 000003
【図２】
2019127339.tif 000004
【図３】
2019127339.tif 000005
【図４】
2019127339.tif 000006
【図５】
2019127339.tif 000007
【図６】
2019127339.tif 000008
【図７】
2019127339.tif 000009
【図８】
2019127339.tif 000010
【図９】
2019127339.tif 000011
【図１０】
2019127339.tif 000012
【図１１】
2019127339.tif 000013
【図１２】
2019127339.tif 000014
【図１３】
2019127339.tif 000015
【図１４】
2019127339.tif 000016
【図１５】
2019127339.tif 000017
【図１６】
2019127339.tif 000018
【図１７】
2019127339.tif 000019
【図１８】
2019127339.tif 000020
【図１９】
2019127339.tif 000021